(57)【要約】【課題】取付操作が容易であることはもとより、取付完了状態が視覚ないし聴覚等により認識できる照明器具の壁面取付構造を提供する。【解決手段】  天井に固定された固定部材１に、照明器具Ｓを吊り持つ取付部材１１が嵌め合わされてなる照明器具の天井等の壁面取付構造である。固定部材１が、下方を開放した円筒状に形成されており、その周壁内面に中央に向かって突設された複数個の取付部材支持突起２と、天壁３から下向きに突設されると共に弾性部材６により常に下向きに付勢されてなる取付部材抜け止め用部材４とを備えている。取付部材１１が、固定部材１の開口を塞ぐ円板状に形成されており、その内面立ち上がり壁１２に突設された前記取付部材支持突起に係止する複数個の係止突片１３と、前記取付部材抜け止め用部材の先端が嵌入する透孔１５とを備えている。【選択図】  図１
2008004458.tif 000002
【特許請求の範囲】
【請求項１】
天井等の壁面に固定された固定部材に、スポットライト等の照明器具を吊り持つ取付部材が嵌め合わされてなる照明器具の壁面取付構造において、
前記固定部材が、一面を開口した円筒状に形成されており、その周壁内面に中央に向かって突設された複数個の取付部材支持突起と、中央壁から開口に向かって突設されると共に弾性部材により常に開口に向かって付勢されてなる取付部材抜け止め用部材とを備え、
前記取付部材が、固定部材の開口を塞ぐ円板状に形成されており、その内面立ち上がり壁に突設された前記取付部材支持突起に係止する複数個の係止突片と、前記取付部材抜け止め用部材の先端が嵌入する透孔とを備えていることを特徴とする照明器具の壁面取付構造。
【請求項２】
取付部材内面に、前記透孔に連なる抜け止め部材先端案内溝が設けられている請求項１に記載の照明器具の壁面取付構造。
【請求項３】
固定部材の開口周縁に環状突縁が突設される一方、取付部材内面に前記環状突縁が嵌り込む環状溝が設けられている請求項１又は請求項２に記載の照明器具の壁面取付構造。
【請求項４】
前記透孔の内径が、抜け止め部材先端部の径より僅かに大に設定されている請求項１ないし請求項３のいずれかに記載の照明器具の壁面取付構造。
【発明の詳細な説明】
【技術分野】
【０００１】
この発明は、照明器具、例えば展示品を照明するために天井やその他の壁面に取り付けられて使用される照明器具に好適な壁面への取付構造に関する。
【背景技術】
【０００２】
照明器具の天井等への壁面取付構造に関しては、従来からいわゆる引っ掛けシーリングと呼ばれているようなものや天井直付け構造等種々の提案がなされている（例えば、特許文献１）。
【特許文献１】特開２００６−３２３６９８公報（図１）
【発明の開示】
【発明が解決しようとする課題】
【０００３】
しかしながら、例えば天井直付け構造の場合は、複数個の化粧ナット等を用いるため照明器具の取付、取り外しにいささか手間取ることがある。
【０００４】
この発明は、このような事情に鑑みてなされたもので、その取付操作が容易であることはもとより、取付完了状態が目視ないしは音等により認知できる照明器具の壁面取付構造を提供することを目的とする。
【課題を解決するための手段】
【０００５】
上記目的を達成するために、請求項１の発明に係る照明器具の壁面取付構造は、
天井等の壁面に固定された固定部材に、スポットライト等の照明器具を吊り持つ取付部材が嵌め合わせれてなる照明器具の壁面取付構造において、
前記固定部材が、一面を開口した円筒状に形成されており、その周壁内面に中央に向かって突設された複数個の取付部材支持突起と、天壁から開口に向かって突設されると共に弾性部材により常に開口に向かって付勢されてなる取付部材抜け止め用部材とを備え、
前記取付部材が、固定部材の開口を塞ぐ皿状に形成されており、その内面立ち上がり壁に突設された前記取付部材支持突起に係止する複数個の係止突片と、前記取付部材抜け止め用部材の先端が嵌入する透孔とを備えていることを特徴とする構成を採用する。
【０００６】
請求項２の発明に係る照明器具の壁面取付構造は、請求項１の構成に加えて、
取付部材内面に、前記透孔に連なる抜け止め部材先端案内溝が設けられている構成を採用する。
【０００７】
請求項３の発明に係る照明器具の壁面取付構造は、請求項１又は請求項２の構成に加えて、
固定部材の開口周縁に環状突縁が突設される一方、取付部材内面に前記環状突縁が嵌り込む環状溝が設けられている構成を採用する。
【０００８】
請求項４の発明に係る照明器具の壁面取付構造は、請求項１ないし請求項３のいずれかの構成に加え、前記透孔の内径が、抜け止め部材先端部の径より僅かに大に設定されている構成を採用する。  
【発明の効果】
【０００９】
請求項１の発明によれば、複数個の係止突片が対応する複数個の支持突起によって支持されるので、確実な支持状態が得られる。また、常に開口に向かって付勢されてなる取付部材抜け止め用部材の先端が、固定部材の透孔に嵌入することにより取付部材の回転が阻止され、ひいては取付部材の不本意な抜脱が防止される。さらに、抜け止め部材の先端が透孔に嵌入した状態を覗くことができる。
【００１０】
請求項２の発明によれば、取付部材内面に、前記透孔に連なる抜け止め部材先端案内溝が設けられているので、取付部材を固定部材に嵌め合わせる際に、予め抜け止め部材の先端を案内溝に合わせておくことにより、嵌め合わせも行いやすくなる。
【００１１】
請求項３の発明によれば、固定部材の開口周縁に環状突縁が突設される一方、取付部材内面に前記環状突縁が嵌り込む環状溝が設けられているので、固定部材内への埃等の侵入が防止される。
【００１２】
請求項４の発明によれば、前記透孔の内径が、抜け止め部材先端部の径より僅かに大に設定されているので、抜け止め部材先端部が透孔に嵌入する際に小さな打撃音が発生し、抜け止め状態に入ったいることが確実に認識できることになる。
【発明を実施するための最良の形態】
【００１３】
以下、この発明に係る照明器具の壁面取付構造の実施形態に基づいて、図面を参照して具体的に説明する。以下の説明では天井への取付構造として説明しているが、この発明の取付構造は、天井に限定されることなく垂直な壁面にも適用されるものである。
【００１４】
図１は、この発明に係る照明器具の壁面取付構造を構成する部材の一実施形態の要部斜視図、図２は、同取付構造を用いた照明器具の天井取付状態の側面図、図３は、天井取付構造を構成する天井固定部材の底面図、図４は、同取付部材の平面図、図５Ａ及びＢは、天井固定部材に対する取付部材嵌め合わせ操作の説明図、図６は、同抜け止め部材の動作説明図である。
【００１５】
この発明に係る照明器具の天井等への壁面取付構造は、主として天井等の壁面に固定される固定部材１と、照明器具Ｓを吊り持ち状態に支持する取付部材１１とから構成されている。
【００１６】
固定部材１は、図１に示すように、下方を開放した浅い円筒状に形成されており、その周壁内面下部に等間隔を置いて３個の取付部材支持突起２、２、２が、中央に向かって突設されている。
【００１７】
前記取付部材支持突起２は、図５Ａに示すように、その一端に傾斜状案内部２ａが設けられ、後述する取付部材１１の係止突片１３が係止突起２に係止しやすくなされると共に、他端に上向きの回り止め突部２ｂが突設され、係止突片１３が回り止め突部２ｂに当接することにより取付部材の回転が規制されるものとなされている。
【００１８】
固定部材１の天壁３内側には、下向きの取付部材抜け止め用部材としてのロックピン４が突設されている。このロックピン４は、天壁３内面に下向きに突設された筒状保持部５の中から、その先端部が進退自在に突出されており、筒状保持部５内の弾性部材であるばね６により常に下向きに付勢されている。
【００１９】
また、前記天壁３の中央には電線挿通孔７が設けられると共に、ビス孔８が設けられている。さらに、この天井固定部材１の開口外縁には、短い幅の突縁９が突設されている。
【００２０】
前記取付部材１１は、固定部材１の開口を塞ぐ円板状に形成されており、その内面立ち上がり壁１２に、前記取付部材支持突起２に係止する３個の係止突片１３、１３、１３が外向きに突設されている。
【００２１】
また、外縁と立ち上がり壁１２との間には、円環状の溝１４が設けられており、固定部材１の突縁９が嵌り込むものとなされている。
【００２２】
この取付部材１１には、前記立ち上がり壁１２の内側にロックピン４の先端が嵌入する透孔１５が設けられると共に、該透孔１５に連なる抜け止め部材先端案内溝１６が設けられている。また透孔１５の内径は、ロックピン４先端部の径より僅かに大に設定されている。
【００２３】
この取付部材１１の下方には、照明器具Ｓがアーム３０を介して吊り持ち状態に支持されている。
【００２４】
而して、天井に固定された固定部材１に取付部材１１を嵌め合わせるには、ロックピン４の先端を案内溝１６に対応させると共に、取付部材１１の円環状溝１４に固定部材１の突縁９を対応させ、ばね６の付勢力に抗して、取付部材１１を上方に押し上げる。
【００２５】
次に、取付部材１１を固定部材１に押し付けながら時計回りに回転させると、係止突片１３が取付部材支持突起２の上を摺動して回り止め突部２ｂに当接すると共に、ロックピン４の先端が案内溝１６上を摺動してやがて透孔１５に嵌り込む。
【００２６】
この嵌り込み状態において、ばね６によるロックピン４への下向きの付勢力により、単に取付部材１１を回転させただけでは、ロックピン４が透孔１５から抜脱不能となっており、取付状態がロックされることになる。
【００２７】
このロックピン４先端が透孔１５に嵌り込んだ状態は、取付け部材の下方から視認することができるし、ロックピン４が透孔１５に嵌り込む際には、カチッという打撃音が発生し、嵌り込んだ状態が音によっても知覚できることになる。
【００２８】
このような取付状態にある取付部材１１を、固定部材１から取り外すには、ねじ回し等の先端を透孔１５内に差し入れて、ばね６の付勢力に抗してロックピン４先端を上方に押し上げながら取付部材１１を反時計回りに回転させると、ロックピン先端４が透孔１５から抜け出る。
【００２９】
また、同時に取付部材支持突起２に係合していた係止突片１３もその係合が解除され、取付部材１１を固定部材１から取り外せることになる。
【図面の簡単な説明】
【００３０】
【図１】この発明に係る照明器具の壁面取付構造を構成する部材の一実施形態の要部斜視図である。
【図２】同壁面取付構造を用いた照明器具の天井取付状態の側面図である。
【図３】壁面取付構造を構成する固定部材の底面図である。
【図４】同取付部材の平面図である。
【図５】Ａは、図３のIII−III線断面図、Ｂは、図４のIV−IV線断面図で、固定部材に対する取付部材嵌め合わせ操作の説明図である。
【図６】同抜け止め部材の動作説明図である。
【符号の説明】
【００３１】
１・・・・・・・固定部材
２・・・・・・・取付部材支持突起
３・・・・・・・天壁
４・・・・・・・抜け止め用部材（ロックピン）
６・・・・・・・ばね
９・・・・・・・突縁
１１・・・・・・円板状取付部材
１２・・・・・・立ち上がり壁
１３・・・・・・係止突片
１４・・・・・・円環状溝
１５・・・・・・透孔
１６・・・・・・案内用溝
Ｓ・・・・・・・照明器具
【図１】
2008004458.tif 000003
【図２】
2008004458.tif 000004
【図３】
2008004458.tif 000005
【図４】
2008004458.tif 000006
【図５】
2008004458.tif 000007
【図６】
2008004458.tif 000008